(57)【要約】【課題】従来技術の問題を解消する、反復する後縁部パターンを有する帯ノコ刃及び関連方法を提供することである。【解決手段】帯ノコ刃１０の後縁部１６が、反復する後縁部パターン２１を含み、後縁部１６は帯ノコ刃１０の周囲方向長に沿って連続的に反復配置された複数の後縁部パターン２１を含み、後縁部１６は３、４、５、６、７、８、９、１０或いはそれ以上の後縁部パターン２１を含み、後縁部パターン２１は、以下の順における、（ｉ）比較的短い下向き傾斜セクション２２、（ｉｉ）比較的長い上向き傾斜セクション２４、（ｉｉｉ）比較的長い間隔セクション２６を含む。【選択図】図１
2016083767.tif 000002
【特許請求の範囲】
【請求項１】
帯ノコ刃であって、
切断平面を形成する切断縁部にして、帯ノコ刃の切断方向での移動中に工作物と係合するように構成された切断縁部と、
前記帯ノコ刃の前記切断縁部に関して反対側に位置付けられ且つ、反復する後縁部パターンを形成する後縁部と、
を含み、
前記後縁部パターンが、以下の順における、
下向き傾斜長を有し且つ前記切断平面に平行な平面に関して鋭角下向き傾斜角を形成する下向き傾斜セクション、
第１上向き傾斜長を有し且つ前記切断平面に平行な平面に関して第１鋭角上向き傾斜角を形成する第１上向き傾斜セクション、
中間長を有し且つ前記切断平面に少なくとも実質的に平行に配向された中間セクション、
第２上向き傾斜長を有し且つ前記切断平面に平行な平面に関して第２鋭角上向き傾斜角を形成する第２上向き傾斜セクション、
間隔長を有し且つ前記切断平面に少なくとも実質的に平行に配向された間隔セクション、
を含む帯ノコ刃。
【請求項２】
前記第１上向き傾斜長、中間長、第２上向き傾斜長の合計長が、下向き傾斜長及び間隔長の各々より長い請求項１に記載の帯ノコ刃。
【請求項３】
前記間隔長が前記下向き長より長い請求項１に記載の帯ノコ刃。
【請求項４】
前記第１上向き傾斜長が前記第２上向き傾斜長に等しい或いは実質的に等しい請求項１に記載の帯ノコ刃。
【請求項５】
下向き傾斜長は中間長に等しい或いは実質的に等しい請求項１に記載の帯ノコ刃。
【請求項６】
鋭角下向き傾斜角は第１鋭角上向き傾斜角及び第２鋭角上向き傾斜角の各々より大きい請求項１に記載の帯ノコ刃。
【請求項７】
第１鋭角上向き傾斜角は第２鋭角上向き傾斜角と等しい或いは実質的に等しい請求項１に記載の帯ノコ刃。
【請求項８】
前記下向き傾斜セクションが、後縁部パターンの前端から第１上向き傾斜セクションの前端へと伸延され、前記第１上向き傾斜セクションが、前記下向き傾斜セクションの後端から前記中間セクションの前端へと伸延され、前記中間セクションが、前記第１上向き傾斜セクションの後端から前記第２上向き傾斜セクションの前端へと伸延され、前記第２上向き傾斜セクションが、前記中間セクションの後端から前記間隔セクションの前端へと伸延され、前記間隔セクションが、前記第２上向き傾斜セクションの後端から前記後縁部パターンの後端へと伸延される請求項１に記載の帯ノコ刃。
【請求項９】
前記帯ノコ刃が、前記下向き傾斜セクションの前端位置に第１高を有し、前記下向きセクションの後端及び前記第１上向き傾斜セクションの前端位置に第２高を有し、前記第１上向き傾斜セクションの後端と、前記中間セクションに沿った部分と、前記第２上向き傾斜セクションの前端位置に第３高を有し、前記第２上向き傾斜セクションの後端位置及び前記間隔セクションに沿った部分に第４高を有し、前記第１高が第４高に等しい又は実質的に等しく、前記第１高が前記第２高及び第３高の各々より高く、前記第３高が前記第２高より高い請求項１に記載の帯ノコ刃。
【請求項１０】
帯ノコ刃であって、
切断平面を形成し且つ帯ノコ刃の切断方向での移動中に工作物と係合するように構成された切断縁部と、
前記帯ノコ刃の、前記切断縁部に関して反対側に位置付けられ且つ反復する後縁部パターンを形成する後縁部と、
を含み、
前記後縁部パターンが、以下の順における、
下向き傾斜長を有し且つ前記切断平面に平行な平面に関して鋭角下向き傾斜角を形成する下向き傾斜セクション、
上向き傾斜長を有し且つ前記切断平面に平行な平面に関して鋭角上向き傾斜角を形成する上向き傾斜セクション、
間隔長を有し且つ前記切断平面に少なくとも実質的に平行に配向された間隔セクション、
を含み、前記上向き傾斜セクションが前記下向き傾斜セクションの隣に位置決めされ、
前記間隔セクションが前記上向き傾斜セクションの隣に位置決めされ、
前記上向き傾斜長及び前記間隔長が各々前記下向き傾斜長より長い帯ノコ刃。
【請求項１１】
前記上向き傾斜セクションが、
第１上向き傾斜長を有し且つ前記切断平面に平行な平面に関して第１鋭角上向き傾斜角を形成する第１上向き傾斜サブセクションと、
第２上向き傾斜長を有し且つ前記切断平面と平行な平面に関して第２鋭角上向き傾斜角を形成する第２上向き傾斜サブセクションと、
前記第１上向き傾斜サブセクション及び前記第２上向き傾斜サブセクション間を伸延し且つ中間長を有する中間サブセクションと、
を含む請求項１０に記載の帯ノコ刃。
【請求項１２】
前記中間サブセクションが前記切断平面と少なくとも実質的に平行に配向される請求項
１１に記載の帯ノコ刃。
【請求項１３】
前記中間サブセクションが、
第１中間長を有し且つ前記切断平面に平行な平面に関して第１鋭角中間角を形成する第１部分と、
第２中間長を有し且つ前記切断平面に平行な平面に関して第２鋭角中間角を形成する第２部分と、
を含む請求項１１に記載の帯ノコ刃。
【請求項１４】
前記第１中間長が前記第２中間長に等しい或いは実質的に等しく、前記第１鋭角中間角が前記第２鋭角中間角に等しい或いは実質的に等しい請求項１３に記載の帯ノコ刃。
【請求項１５】
前記下向き傾斜長が前記中間長に等しい或いは実質的に等しい請求項１１に記載の帯ノコ刃。
【請求項１６】
前記第１上向き傾斜長が前記第２上向き傾斜長に等しい或いは実質的に等しく、前記第１鋭角上向き傾斜角が前記第２鋭角上向き傾斜角に等しい或いは実質的に等しい請求項１１に記載の帯ノコ刃。
【請求項１７】
前記帯ノコ刃の全周囲方向長が約３．０５メートル以上且つ約４．２７メートル未満の長さに等しい或いは実質的に等しく、前記間隔長が、前記上向き傾斜長の約１／３で且つ前記上向き傾斜長の１．５倍未満である請求項１０に記載の帯ノコ刃。
【請求項１８】
前記帯ノコ刃の全周囲方向長が、約４．２７メートル以上の長さに等しい或いは実質的に等しく、前記間隔長が前記下向き傾斜長以上の長さである請求項１０に記載の帯ノコ刃。
【請求項１９】
帯ノコ刃であって、
切断平面を形成し且つ帯ノコ刃の切断方向での移動中に工作物と係合するように構成された切断縁部と、
前記帯ノコ刃の、前記切断縁部に関して反対側に位置付けられ且つ反復する後縁部パターンを形成する後縁部と、
を含み、
前記後縁部パターンが、以下の順における、
下向き傾斜長を有し且つ切断平面に平行な平面に関して鋭角下向き傾斜角を形成する下向き傾斜セクション、
第１上向き傾斜長を有し且つ前記切断平面に平行な平面に関して第１鋭角上向き傾斜角を形成する第１上向き傾斜セクション、
中間長を有し且つ前記切断平面に少なくとも実質的に平行に配向された中間セクション、
第２上向き傾斜長を有し且つ前記切断平面に平行な平面に関して第２鋭角上向き傾斜角を形成する第２上向き傾斜セクション、
間隔長を有し且つ前記切断平面に少なくとも実質的に平行に配向された間隔セクション、
を含む帯ノコ刃。
【請求項２０】
前記第１上向き傾斜長、前記中間長、前記第２上向き傾斜長の合計長が前記第１下向き傾斜長及び間隔長の各々より長い請求項１９に記載の帯ノコ刃。
【発明の詳細な説明】
【技術分野】
【０００１】
本出願は２０１４年１０月２４日付で提出された、“反復する後縁部パターンを有する帯ノコ刃及び関連方法”と題する、ここにその全体を引用することにより本明細書の一部とする米国仮出願番号６２／０６８，０９８の優先権を主張するものである。
本発明は一般に、帯ノコ刃及び前記帯ノコ刃を用いて工作物を切断する方法に関し、詳しくは、反復する後縁部パターンを形成する帯ノコ刃及び前記帯ノコ刃を使用して工作物を切断する方法に関する。
【背景技術】
【０００２】
色々なタイプの材料から形成された工作物を切断する様々なタイプの帯ノコ刃が棋界において知られている。帯ノコ刃は一般に切断縁部と、この切断縁部に関して帯ノコ刃の反対側に位置付けられる後縁部とを含む連続帯として形成され得る。切断縁部は工作物と係合するように構成され得、後縁部は帯ノコ装置の離間されたローラと係合する構成を有し得る。帯ノコ装置が作動する間、帯ノコ刃は切断方向に移動し得、後縁部にローラが、この後縁部に対向する切断縁が工作物を貫いて切断するに従い圧力を付加し得る。
【０００３】
特定構成の帯ノコ刃によれば、切断縁部及び後縁部は帯ノコ刃の全周囲方向長に沿って相互に実質的に平行であり得る。これにより帯ノコ刃の、その全周囲方向長に沿った高さは実質的に一定であり得、ローラを介して後縁部に付加される圧力により切断縁部は、帯ノコ刃が切断方向に移動するに従い実質的に一定の切断力で工作物に係合される。このように構成された帯ノコ刃は多用途において好適なものであり得るが、このタイプの帯ノコ刃は、例えば、切断中に加工硬化する傾向のある材料を含む特定タイプの材料から形成された工作物を切断するのに使用するには困難であり得る。そのような材料の一例は、米国ニューヨークのＮｅｗ  ＨａｒｔｆｏｒｄのＳｐｅｃｉａｌ  Ｍｅｔａｌｓ  Ｃｏｒｐｏｒａｔｉｏｎ社が販売するＩｎｃｏｎｅｌ（登録商標）７１８である。
【０００４】
他の構成の帯ノコ刃によれば、切断縁部及び後縁部が、帯ノコ刃の全周囲方向長の特定部分に沿って互いに非平行となるように輪郭付けされ得る。例えば、後縁部は、帯ノコ刃の高さがそこに沿って増減する１つ又は１つ以上のセクションを含み得る。これにより、ローラを介して後縁部に付加される圧力が、切断方向に移動する帯ノコ刃の切断縁部を、変化する切断力で工作物に係合させ得る。このような構成の帯ノコ刃は多くの用途に好適なものであり得るが、例えば、切断中に加工硬化する傾向のある材料を含むある種の材料から形成された工作物をこのタイプの帯ノコ刃で切断するのは困難であり得る。このタイプの帯ノコ刃は尚、例えば、切断中に加工硬化する傾向のある材料を含む特定タイプの材料から形成された工作物に使用するのが困難であり得る。更には、そのような帯ノコ刃を使用すると、特に、ローラの一方が帯ノコ刃の後縁部の、高さが増大するセクションと係合する際に大きな騒音あるいは“挽き音”が発生し得る。
【先行技術文献】
【特許文献】
【０００５】
【特許文献１】米国仮出願番号６２／０６８，０９８号
【発明の概要】
【発明が解決しようとする課題】
【０００６】
従来技術の問題を解消する、反復する後縁部パターンを有する帯ノコ刃及び関連方法を提供することである。
【課題を解決するための手段】
【０００７】
以下に、帯ノコ刃のみならず、帯ノコ刃の各特徴の実施態様例が記載される。帯ノコ刃は工作物を切断する帯ノコ装置と共に使用され得る。以下に記載されるように、帯ノコ刃は、切断中に加工硬化する傾向のある材料等の色々なタイプの材料から形成された工作物を含む工作物を切断する際の切断性能を高める構成を有し得る。更に、以下に記載するある実施態様における帯ノコ刃は、帯ノコ刃を使用しての工作物切断中に発生する騒音あるいは挽き音レベルを低下させる構成を有し得る。
【０００８】
一般に、帯ノコ刃は切断平面を形成し且つ、帯ノコ刃が切断方向に移動する際に工作物と係合する構成を有する切断縁部と、切断縁部に関して帯ノコ刃の反対側に位置付けられ且つ、帯ノコ装置の離間されたローラと係合する構成を有するパターン付き後縁部とを含み得る。ある実施態様では後縁部のパターンは反復する後縁部パターンである。
【０００９】
ある実施態様では後縁部パターンは、以下の順における、下向き傾斜長を有し且つ切断平面と平行な平面に関する下向き鋭角傾斜角を形成する下向き傾斜セクション、第１上向き傾斜長を有し且つ切断平面と平行な平面に関して第１上向き鋭角傾斜角を形成する第１上向き傾斜セクション、中間長を有し且つ切断平面と少なくとも実質的に平行に配向された中間セクション、第２傾斜長を有し且つ切断平面と平行な平面に関して第２上向き鋭角傾斜角を形成する第２上向き傾斜セクション、間隔長を有し且つ切断平面と少なくとも実質的に平行に配向された間隔セクション、を含み得る。
【００１０】
ある実施態様では、第１上向き傾斜長、中間長、第２上向き傾斜長の合計長さは下向き傾斜長以上の長さであり得る。ある実施態様では、第１上向き傾斜長、中間長、第２上向き傾斜長の合計長さは間隔長以上の長さであり得る。ある実施態様では間隔長は下向き傾斜長以上の長さであり得る。ある実施態様では第１上向き傾斜長さは第２上向き傾斜長さに等しいあるいは実質的に等しい長さであり得る。ある実施態様では下向き傾斜長さは中間長に等しいあるいは実質的に等しい長さであり得る。ある実施態様では下向き鋭角傾斜角は第１上向き鋭角傾斜角及び第２上向き鋭角傾斜角の各々より大きい角度であり得る。ある実施態様では第１上向き鋭角傾斜角は第２上向き鋭角傾斜角に等しいあるいは実質的に等しい角度であり得る。
【００１１】
ある実施態様によれば、下向き傾斜セクションは後縁部パターンの前端から第１上向き傾斜セクションの前端に伸延され得、第１上向き傾斜セクションは下向き傾斜セクションの後端から中間セクションの前端に伸延され得、中間セクションは第１上向き傾斜セクションの後端から第２上向き傾斜セクションの前端に伸延され得、第２上向き傾斜セクションは中間セクションの前端から間隔セクションの後端に伸延され得、間隔セクションは第２上向き傾斜セクションの後端から後縁部パターンの前端に伸延され得る。
【００１２】
ある実施態様では帯ノコ刃は下向き傾斜セクションの前端位置に第１高を、前記下向き傾斜セクションの後端位置及び第１上向き傾斜セクションの前端位置に第２高さを、第１上向き傾斜セクションの後端位置、中間セクションに沿った部分、第２上向き傾斜セクションの前端位置に第３高さを、第２上向き傾斜セクションの後端位置及び間隔セクションに沿った位置に第４高さを夫々有し得る。第１高は第４高さに等しいあるいは実質的に等しく、第１高は第２高さ及び第３高さの何れか以上の高さであり得、第３高さは第２高さ以上の高さであり得る。
【００１３】
ある実施態様では後縁部パターンには、以下の順における、下向き傾斜長を有し且つ切断平面と平行な平面に関して下向き鋭角傾斜角を形成する下向き傾斜セクション、上向き傾斜長さを有し且つ切断平面と平行な平面に関して上向き鋭角傾斜角を形成する上向き傾斜セクション、間隔長を有し且つ切断平面に少なくとも実質的に平行な方向に配向された間隔セクション、が含まれ得る。上向き傾斜セクションは下向き傾斜セクションの隣に位置決めされ得、間隔セクションは上向き傾斜セクションの隣に位置決めされ得る。上向き傾斜長さ及び間隔長は各々下向き傾斜長さ以上の長さであり得る。
【００１４】
ある実施態様では上向き傾斜セクションは、第１上向き傾斜長を有し且つ切断平面に平行な平面に関して第１上向き鋭角傾斜角を形成する第１上向き傾斜サブセクションと、第２上向き傾斜長を有し且つ切断平面と平行な平面に関して第２上向き鋭角傾斜角を形成する第２上向き傾斜サブセクション、第１上向き傾斜サブセクションと第２上向き傾斜サブセクションとの間の、中間長を有する中間サブセクションを含み得る。ある実施態様では中間サブセクションは切断平面と平行又は実質的に平行に配向され得る。ある実施態様では中間サブセクションは、第１中間長を有する第１部分にして、切断平面と平行な平面に関して第１鋭角中間角を形成する第１部分と、第２中間長を有する第２部分にして、切断平面と平行な平面に関して第２鋭角中間角を形成する第２部分とを含み得る。第１中間長は第２中間長に等しい又は実質的に等しい長さであり得、第１鋭角中間角は第２鋭角中間角に等しい又は実質的に等しい角度であり得る。ある実施態様では、下向き傾斜長は中間長に等しい又は実質的に等しい長さであり得る。ある実施態様では第１上向き傾斜長は第２上向き傾斜長に等しい又は実質的に等しい長さであり得、第１上向き鋭角傾斜角は第２上向き鋭角傾斜角に等しい又は実質的に等しい角度であり得る。
【００１５】
ある実施態様では、帯ノコ刃の全周囲方向長は約１０フィート（３．０５メートル）に等しい又はそれより長く且つ約１４フィート（４．２７メートル）より短い長さであり得、間隔長は下向き傾斜長に等しい又はそれ以上の長さであり得る。ある実施態様では帯ノコ刃の全周囲方向長は約１０フィート（３．０５メートル）に等しい又はそれより長く且つ約１４フィート（４．２７メートル）より短い長さであり得、間隔長は上向き傾斜長の約１／３に等しい又はそれより長く且つ上向き傾斜長の１．５倍の長さであり得る。ある実施態様では帯ノコ刃の全周囲方向長は約１４フィート（４．２７メートル）に等しい又はそれ以上の長さであり得、間隔長は上向き傾斜長に等しい又はそれ以上の長さであり得る。
【００１６】
本発明のこれら及びその他の実施態様は以下の詳細な説明において付随する図面を参照して更に詳しく説明される。
【発明の効果】
【００１７】
従来技術の問題を解消する、反復する後縁部パターンを有する帯ノコ刃及び関連方法が提供される。
【図面の簡単な説明】
【００１８】
【図１】本発明の１つ又は１つ以上の実施態様に従う帯ノコ刃の一部の側面図である。
【図２】図１の帯ノコ刃の及び帯ノコ装置のローラ対の部分側面図である。
【図３】図１の帯ノコ刃の部分側面図である。
【図４】図１の帯ノコ刃の部分側面図である。
【図５】本発明の１つ又は１つ以上の実施態様に従う帯ノコ刃の一部の側面図である。
【図６】図５の帯ノコ刃の部分側面図である。
【発明を実施するための形態】
【００１９】
図１〜６には本発明の１つ又は１つ以上の実施態様に従う帯ノコ刃１０（単に“ノコ刃”とも称され得る）が例示される。帯ノコ刃１０は工作物を切断する帯ノコ装置で使用するために好適なものであり得る。詳しくは、図２に示されるように、帯ノコ刃１０は、帯ノコ刃１０の移動中に帯ノコ装置の離間されたローラ１２と係合する構成を有し得る。以下に説明するように、帯ノコ刃１０は、切断中に加工硬化する傾向のある種々のタイプの材料から形成されたものを含む工作物を切断するために使用される場合に切断性能を高める構成を有し得る。更には、以下に説明されるように、帯ノコ刃１０は、帯ノコ刃１０を使用しての工作物切断中に発生する騒音又は挽き音レベルを低減させる構成を有し得る。
【００２０】
以下に、図面に例示された実施態様を参照して帯ノコ刃１０の特徴構成が説明されるが、それらの特徴構成は図面に例示された実施態様に限定されるものではない。帯ノコ刃１０の特徴構成は、ｘ軸方向の長さ、ｙ軸方向の幅、及び又は、ｚ軸方向の高さを有するものとして説明される。各軸は帯ノコ刃１０に関する図面に示される。
【００２１】
帯ノコ刃１０の特定の寸法及び特徴は“約”を付記して説明される。ここで“約”とは、記載された寸法が厳密な範囲又はパラメータでは無いこと、及び、機能上類似するその変化例を排除しないことを表わすものとする。特に断わりのない限り、数値パラメータについての“約”とは、そのパラメータが、斯界に受け入れられた数学及び工業的原理（例えば、丸め、測定あるいはその他のシステム上のエラー、製造誤差等）上は最小有効数字が変化しない変化例を含むことを表わすものとする。
【００２２】
帯ノコ刃１０の寸法及び特徴間における特定の関係は“実質的に”を用いて記載される。ここで、“実質的に等しい”とは、当該対等関係が厳密な関係では無いこと及び、機能上類似するその変化例を排除しないことを表わすものとする。特に記載が無い限り、記載された２つ又は２つ以上の寸法に関する“実質的に等しい”、“実質的に一定”、“実質的に平行”とは、何れも、当該対等、一定及び平行関係が厳密な関係では無く、且つ、機能上類似するその変化例を排除しないことを意味するものとする。
【００２３】
帯ノコ刃１０は、帯ノコ装置で使用する構成を有する連続帯（無端の）として形成され得る。図示の如く、帯ノコ刃１０は切断縁部１４と、切断縁部１４に関して帯ノコ刃１０の反対側に位置付けられた後縁部１６とを含み得る。切断縁部１４及び後縁部１６は各々、帯ノコ刃１０の全周囲方向長に沿って伸延され得る。切断縁部１４は図示の如く帯ノコ刃１０の切断平面１８を形成し得、切断縁部１４は、帯ノコ刃１０が切断方向２０に移動する間に工作物と係合する構成を有し得る。ある実施態様では切断縁部１４はその全体が単一平面内に存在しない。図示されるように、切断縁部１４は、帯ノコ刃１０が切断方向２０に移動するに従い工作物に係合し且つ切断する構成を有する複数の歯１５を含み得る。帯ノコ刃１０の切断方向２０は切断縁部１４の歯１５の方向に相当することを認識されよう。詳しくは、図示されるように、歯１５の掬い面は全体に切断方向２０に配向され得、歯１５の逃げ面は全体に切断方向２０とは反対方向に配向され得る。これにより、歯１５は帯ノコ刃１０が切断方向２０に移動するに従い工作物を切断するよう配向され得る。歯１５は図１〜６に例示されるような形態の歯を有し得るが、帯ノコ刃１０の種々の実施態様においてその他形態の歯態を使用できる。更に、歯１５は帯ノコ刃１０の種々の実施態様において形成された設定パターンに従い直歯（ｕｎｓｅｔ）又は傾斜歯（ｓｅｔ）化され得る。
【００２４】
帯ノコ刃１０の後縁部１６は、帯ノコ装置の離間されたローラ１２と係合する構成を有し得る。図２では２つのローラ１２が示されるが、帯ノコ装置は帯ノコ刃１０の後縁部１６と係合する任意数のローラ１２を含み得る。図示されるように、帯ノコ刃１０の後縁部１６は反復する後縁部パターン２１を含み得る。換言すれば、後縁部１６は帯ノコ刃１０の周囲方向長に沿って連続的に反復配置された複数の後縁部パターン２１を含み得る。図１では後縁部パターン２１は２つのみが示されるが、帯ノコ刃１０の種々の実施態様に従う帯ノコ刃１０の後縁部１６には３、４、５、６、７、８、９、１０あるいはそれ以上の後縁部パターン２１が含まれ得る。図示されるように後縁部パターン２１は、以下の順で、（ｉ）比較的短い下向き傾斜セクション２２と、（ｉｉ）比較的長い上向き傾斜セクション２４と、（ｉｉｉ）比較的長い間隔セクション２６とを含み得る。これにより帯ノコ刃１０の高さ（帯ノコ刃１０の切断縁部１４と後縁部１６との間における高さ方向での距離）は後縁部パターン２１の長さに沿って変化され得る。図示されるように、下向き傾斜セクション２２、上向き傾斜セクション２４、間隔セクション２６は切断方向２０とは反対方向でこの順に配置され得る。換言すれば、帯ノコ刃１０が切断方向２０に移動し、切断縁部１４が工作物と係合する際、下向き傾斜セクション２２は反復する後縁部パターン２１の先行セクションとなり、下向き傾斜セクション２２に上向き傾斜セクション２４が後続され、上向き傾斜セクション２４に間隔セクション２６が後続され得る。
【００２５】
下向き傾斜セクション２２、上向き傾斜セクション２４及び間隔セクション２６は各々、帯ノコ刃１０の切断方向２０に関する前／後端を有し得る。図示されるように、下向き傾斜セクション２２の後端は上向き傾斜セクション２４の前端の隣に位置決めされ得、上向き傾斜セクション２４の後端は間隔セクション２６の前端の隣に位置決めされ得る。換言すれば、下向き傾斜セクション２２は後縁部パターン２１の前端（及び後縁部パターン２１の後端）から上向き傾斜セクション２４の前端へと伸延され得、上向き傾斜セクション２４は下向き傾斜セクション２２の後端から間隔セクション２６の前端へと伸延され得、間隔セクション２６は上向き傾斜セクション２４の後端から後縁部パターン２１の後端（及び次の後縁部パターン２１の前端）へと伸延され得る。
【００２６】
図示されるように、帯ノコ刃１０の高さは、下向き傾斜セクション２２の前端から下向き傾斜セクション２２の後端にかけて低下され得、上向き傾斜セクション２４の前端から上向き傾斜セクション２４の後端にかけて増大され得、間隔セクション２６の前端から間隔セクション２６の後端にかけて一定又は実質的に一定に維持され得る。これにより帯ノコ刃１０の高さは、下向き傾斜セクション２２の後端と、上向き傾斜セクション２４の前端との交叉位置で最小となり得、間隔セクション２６に沿って最大となり得る。
【００２７】
下向き傾斜セクション２２は、切断平面１８と平行に配向された平面に関して０°以上且つ９０°未満の、少なくとも１つの上向き鋭角傾斜角αARDと、切断平面１８と平行に配向された平面に関して９０°以上且つ１８０°未満の、少なくとも１つの下向き鈍角傾斜角αORDとを形成し得る。図示されるように、少なくとも１つの上向き鋭角傾斜角αARDと、少なくとも１つの下向き鈍角傾斜角αORDとは、下向き傾斜セクション２２の直線状縁部により形成され得る。上向き傾斜セクション２４は、切断平面１８と平行に配向された平面に関して０°以上且つ９０°未満の、少なくとも１つの上向き鋭角傾斜角αARU1及びαARU2、切断平面１８と平行に配向された平面に関して９０°以上且つ１８０°未満の少なくとも１つの下向き鈍角傾斜角αORU1及びαORU2を形成し得る。図示されるように、少なくとも１つの上向き鋭角傾斜角αARU1及びαARU2と、少なくとも１つの下向き鈍角傾斜角αORU1及びαORU2とは、上向き傾斜セクション２４の直線状縁部により形成され得る。間隔セクション２６は、切断平面１８に少なくとも実質的に平行（即ち、実質的に平行又は平行）に配向された直線状縁部を含み得る。
【００２８】
図示されるように、上向き傾斜セクション２４は、第１角度上向き傾斜サブセクション２８（“第１上向き傾斜セクション”とも称され得る）、第２角度上向き傾斜サブセクション３０（“第２上向き傾斜セクション”とも称され得る）、第１角度上向き傾斜サブセクション２８及び第２角度上向き傾斜サブセクション３０間に位置決めされた中間サブセクション３２（“中間サブセクション”とも称され得る）を含み得る。帯ノコ刃１０の切断方向２０に関し、第１角度上向き傾斜サブセクション２８、第２角度上向き傾斜サブセクション３０、中間サブセクション３２は各々前／後端を有し得る。図示されるように、第１角度上向き傾斜サブセクション２８の後端は中間サブセクション３２の前端の隣に位置決めされ得、中間サブセクション３２の後端は第２角度上向き傾斜サブセクション３０の前端の隣に位置決めされ得る。換言すれば、第１角度上向き傾斜サブセクション２８は上向き傾斜セクション２４の前端（及び下向き傾斜セクション２２の後端）から中間サブセクション３２の前端へと伸延され得、中間サブセクション３２は第１角度上向き傾斜サブセクション２８の後端から第２角度上向き傾斜サブセクション３０の前端へと伸延され得、第２角度上向き傾斜サブセクション３０は中間サブセクション３２の後端から上向き傾斜セクション２４の後端（及び間隔セクション２６の前端）へと伸延され得る。
【００２９】
第１角度上向き傾斜サブセクション２８は、切断平面１８と平行に配向された平面に関して０°以上且つ９０°未満の第１上向き鋭角傾斜角αARU1と、切断平面１８と平行に配向された平面に関して９０°以上で且つ１８０°未満の第１上向き鈍角傾斜角αORU1とを形成し得る。図示されるように、第１上向き鋭角傾斜角αARU1及び第１上向き鈍角傾斜角αORU1は第１角度上向き傾斜サブセクション２８の直線状縁部により形成され得る。第２角度上向き傾斜サブセクション３０は、切断平面１８と平行に配向された平面に関して０°以上で且つ９０°未満の第２上向き鋭角傾斜角αARU2と、切断平面１８と平行に配向された平面に関して９０°以上で且つ１８０°未満の第２上向き鈍角傾斜角αORU2とを形成し得る。図示されるように、第２上向き鋭角傾斜角αARU2及び第２上向き鈍角傾斜角αORU2は第２角度上向き傾斜サブセクション３０の直線状縁部により形成され得る。ある実施態様では、図示されるように、第１上向き鋭角傾斜角αARU1は第２上向き鋭角傾斜角αARU2と等しいあるいは実質的に等しいものであり得、第１上向き鈍角傾斜角αORU1は第２上向き鈍角傾斜角αORU2と等しいあるいは実質的に等しいものであり得る。他の実施態様では第１上向き鋭角傾斜角αARU1は第２上向き鋭角傾斜角αARU2と相違する（例えばそれ以上あるいは未満）ものであり得、第１上向き鈍角傾斜角αORU1は第２上向き鈍角傾斜角αORU2と相違するものであり得る。ある実施態様では、図示されるように、下向き鋭角傾斜角αARDは、第１上向き鋭角傾斜角αARU1及び第２上向き鋭角傾斜角αARU2の各々以上のものであり得、下向き鈍角傾斜角αORDは第１上向き鈍角傾斜角αORU1及び第２上向き鈍角傾斜角αORU2の各々未満のものであり得る。
【００３０】
図１〜４に示すような特定実施態様において、中間サブセクション３２は、切断平面１８に少なくとも実質的に平行（即ち、実質的に平行又は平行）に配向された直線状縁部を含み得る。これにより、帯ノコ刃１０の高さは中間サブセクション３２の前端から後端にかけて一定又は実質的に一定に維持され得る。
【００３１】
他の実施態様では、図５及び６に示されるように、中間サブセクション３２は第１部分３２ａ（“第１中間部分”とも称され得る）及び第２部分３２ｂ（“第２中間部分”とも称され得る）を含み得、これらの中間部分は後縁部１６に沿って一緒に“Ｖ”字形を形成する。第１部分３２ａ及び第２部分３２ｂは、帯ノコ刃１０の切断方向に関して各々前／後端を有し得る。図示されるように、第１部分３２ａの後端は第２部分３２ｂの前端の隣に位置決めされ得る。換言すれば、第１部分３２ａは中間サブセクション３２の前端（及び第１角度上向き傾斜サブセクション２８の後端）から、第２部分３２ｂの前端へと伸延され得、第２部分３２ｂは、第１部分３２ａの後端から中間サブセクション３２の後端（及び第２角度上向き傾斜サブセクション３０の前端）へと伸延され得る。
【００３２】
第１部分３２ａは、切断平面１８と平行に配向された平面に関して０°以上で且つ９０°未満の第１鋭角中間角αAINT1と、切断平面１８と平行に配向された平面に関して９０°以上で且つ１８０°未満の第１鈍角中間角αOINT1とを形成し得る。図示されるように、第１鋭角中間角αAINT1及び第１鈍角中間角αOINT1は第１部分３２ａの直線状縁部により形成され得る。第２部分３２ａは、切断平面１８と平行に配向された平面に関して０°以上で且つ９０°未満の第２鋭角中間角αAINT2と、切断平面１８と平行に配向された平面に関して９０°以上で且つ１８０°未満の第２鈍角中間角αOINT2とを形成し得る。図示されるように、第２鋭角中間角αAINT2及び第２鈍角中間角αOINT2は第２部分３２ｂの直線状縁部により形成され得る。ある実施態様によれば、図示されるように、第１鋭角中間角αAINT1は第２鋭角中間角αAINT2と等しい又は実質的に等しいものであり得、第１鈍角中間角αOINT1は第２鈍角中間角αOINT2と等しい又は実質的に等しいものであり得る。他の実施態様例では第１鋭角中間角αAINT1は第２鋭角中間角αAINT2とは異なり得、第１鈍角中間角αOINT1は第２鈍角中間角αOINT2とは異なり得る。
【００３３】
図３及び５に示されるように、下向き傾斜セクション２２は下向き傾斜長ＬRDを有し、上向き傾斜セクション２４は上向き傾斜長ＬRUを有し、間隔セクション２６は間隔長ＬSPを有する。後縁部パターン２１は、下向き傾斜長ＬRDと、上向き傾斜長ＬRUと、間隔長ＬSPとの合計に等しいパターン長さＬPATを有する。ある実施態様では、図示されるように、上向き傾斜長ＬRU及び間隔長ＬSPは各々、下向き傾斜長ＬRDよりも長いものであり得る。ある実施態様では、図示されるように、上向き傾斜長ＬRUは間隔長ＬSPより長いものであり得る。図示されるように、第１角度上向き傾斜サブセクション２８は第１上向き角度傾斜長さＬRU1を有し、第２角度上向き傾斜サブセクション３０は第２上向き角度傾斜長さＬRU2を有し、中間サブセクション３２は中間長ＬINTを有する。上向き傾斜長ＬRUは、第１上向き角度傾斜長さＬRU1、第２角度上向き角度傾斜長さＬRU2、中間長ＬINTの合計長さに等しい。ある実施態様では、図示されるように、第１上向き角度傾斜長さＬRU1は第２上向き角度傾斜長さＬRU2と等しいものであり得る。他の実施態様では第１上向き角度傾斜長さＬRU1は第２上向き角度傾斜長さＬRU2と相違するものであり得る。ある実施態様では、図示されるように、下向き傾斜長ＬRDは中間長ＬINTと等しいものであり得る。他の実施態様では下向き傾斜長ＬRDは中間長ＬINTと相違するものであり得る。
【００３４】
図５及び６に示されるように、第１部分３２ａは第１中間長ＬINT1を有し、第２部分３２ｂは第２中間長ＬINT2を有する。中間長ＬINTは第１中間長ＬINT1及び第２中間長ＬINT2の合計に等しい。ある実施態様では、図示されるように、第１中間長ＬINT1は第２中間長ＬINT2に等しいものであり得る。他の実施態様では第１中間長ＬINT1は第２中間長ＬINT2と相違するものであり得る。
【００３５】
帯ノコ刃１０は全周囲方向歯長ＬBLD（図示せず）を有する。全周囲方向歯長ＬBLDは、パターン長さＬPATに、後縁部１６に沿って形成された後縁部パターン２１の数を乗算した値に等しいものであり得る。ある実施態様では全周囲方向歯長ＬBLDは約１０フィート（３．０５メートル）に等しい又はそれ以上で且つ１５フィート（４．５７メートル）未満のものであり得、間隔長ＬSPは、上向き傾斜長ＬRUの約１／３に等しい又はそれ以上で且つ上向き傾斜長ＬRUの１．５倍に等しい又はそれ未満のものであり得る。ある実施態様では全周囲方向歯長ＬBLDは、約１５フィート（４．５７メートル）に等しい又はそれ以上で且つ約２０フィート（６．１０メートル）未満のものであり得、間隔長ＬSPは上向き傾斜長ＬRUの約１／２に等しい又はそれ以上で且つ上向き傾斜長ＬRUの約２倍未満であり得る。ある実施態様では全周囲方向歯長ＬBLDは約２０フィート（６．１０メートル）に等しいあるいはそれ以上であり得、間隔長ＬSPは上向き傾斜長ＬRUの約１／２に等しいあるいはそれ以上で且つ上向き傾斜長ＬRUの約３倍未満の長さであり得る。ある実施態様では、全周囲方向歯長ＬBLDは約１０フィート（３．０５メートル）に等しいあるいはそれ以上で且つ約１４フィート（４．２７メートル）未満の長さであり得、間隔長ＬSPは上向き傾斜長ＬRUに等しいあるいはそれ以上の長さであり得る。ある実施態様では全周囲方向歯長ＬBLDは約１０フィート（３．０５メートル）に等しいあるいはそれ以上で且つ約１４フィート（４．２７メートル）未満の長さであり得、間隔長ＬSPは上向き傾斜長ＬRUの約１／３等しいあるいはそれ以上で且つ上向き傾斜長ＬRUの約１．５倍未満の長さであり得る。ある実施態様では、全周囲方向歯長ＬBLDは約１４フィート（４．２７メートル）に等しいあるいはそれ以上の長さであり得、間隔長ＬSPは上向き傾斜長ＬRUに等しいあるいはそれ以上の長さであり得る。帯ノコ刃１０及び後縁部１６のセクションの正確な寸法は帯ノコ刃１０の種々の実施態様に従い変化し得ることを理解されよう。
【００３６】
図示されるように、帯ノコ刃１０の高さは後縁部パターン２１の長さに沿って変化し得る。図１〜４の実施態様によれば、帯ノコ刃は、（ｉ）下向き傾斜セクション２２の前端位置の第１高Ｈ1と、（ｉｉ）下向き傾斜セクション２２の後端位置及び、第１角度上向き傾斜サブセクション２８の前端位置の第２高Ｈ2と、（ｉｉｉ）第１角度上向き傾斜サブセクション２８の後端位置、中間サブセクション３２に沿った部分、及び、第２角度上向き傾斜サブセクション３０の前端位置の第３高Ｈ3と、（ｉｖ）第２角度上向き傾斜サブセクション３０の後端及び間隔セクション２６に沿った部分の第４高Ｈ4とを有する。図１〜４の実施態様では、第１高Ｈ1は第４高Ｈ4に等しいあるいは実質的に等しく、第１高Ｈ1は第２高Ｈ2及び第３高Ｈ3の各々より高く、第３高Ｈ3は第２高Ｈ2より高い。これにより、第１高Ｈ1及び第４高Ｈ4は帯ノコ刃１０の後縁部パターン２１に沿った最大高となり、第２高Ｈ2は帯ノコ刃１０の後縁部パターン２１に沿った最小高となる。
【００３７】
図５及び６に従う実施態様によれば、帯ノコ刃は、（ｉ）下向き傾斜セクション２２の前端位置の第１高Ｈ1と、（ｉｉ）下向き傾斜セクション２２の後端位置及び、第１角度上向き傾斜サブセクション２８の前端位置の第２高Ｈ2と、（ｉｉｉ）第１角度上向き傾斜サブセクション２８の後端位置、中間サブセクション３２の第１部分３２ａの前端位置の第３高Ｈ3と、（ｉｖ）中間サブセクション３２の第１部分３２ａの後端及び中間サブセクション３２の第２部分３２ｂの前端位置の第４高Ｈ4と、（ｖ）中間サブセクション３２の第２部分３２ｂの後端位置及び第２角度上向き傾斜サブセクション３０の前端位置の第５高Ｈ5と、（ｖｉ）第２角度上向き傾斜サブセクション３０の後端位置及び間隔セクション２６に沿った部分の第６高Ｈ6とを有する。図５及び６の実施態様では、第１高Ｈ1は第６高Ｈ6に等しいあるいは実質的に等しく、第１高Ｈ1は第２高Ｈ2、第３高Ｈ3、第４高Ｈ4、第５高Ｈ5の各々より高く、第３高Ｈ3は第５高Ｈ5に等しくあるいは実質的に等しく、第３高Ｈ3は第２高Ｈ2及び第４高Ｈ4の各々より高く、第４高Ｈ4は第２高Ｈ2より高い。これにより、第１高Ｈ1及び第６高Ｈ6は帯ノコ刃１０の、後縁部パターン２１に沿った最大高となり、第２高Ｈ2が帯ノコ刃１０の後縁部パターン２１に沿った最小高となる。
【００３８】
かくして、図示された実施態様では、帯ノコ刃１０の長さに沿った反復する後縁部パターン２１において帯ノコ刃１０の高さが変化する。帯ノコ刃１０の切断縁部１４が工作物と係合する力（“切断力”とも称され得る）は少なくとも部分的には、工作物に係合する帯ノコ刃１０の部分の高さに対応するものとなる。従って、反復する後縁部パターン２１により、帯ノコ刃１０の使用中における切断力は反復するパターンに従い変化する。切断力が反復し且つ変化するパターン化されることで、工作物への切断縁部１４の切り込み及びそれによる、例えば、切断中に加工硬化する傾向のある材料（例えば、Ｉｎｃｏｎｅｌ（商標名）７１８）の切断が支援され得る。
【００３９】
帯ノコ刃１０の反復する後縁部パターン２１により、帯ノコ刃１０の、ローラ１２の一方に近い部分の高さもまたローラ１２の他方に近い帯ノコ刃１０の部分の高さに関して変化する。これにより、ローラ１２に近い切断縁部１４の一部が、少なくとも実質的に切断縁部１４の残余部分により形成される切断平面１８に関して反復するパターンにおいて移動する。そのような移動によってもまた、工作物への切断縁部１４の切り込み及びそれによる、例えば、切断中に加工硬化する傾向のある材料（例えば、Ｉｎｃｏｎｅｌ（商標名）７１８）の切断が支援され得る。
【００４０】
更には、帯ノコ刃１０の反復する後縁部パターン２１は、帯ノコ刃１０の使用中における、ローラ１２に後縁部１６が係合する際及び切断縁部１４が工作物に係合する際に発生する騒音あるいは挽き音のレベル低下を支援し得る。例えば、第１角度上向き傾斜サブセクション２８と第２角度上向き傾斜サブセクション３０との間に中間サブセクション３２が存在することで、上向き傾斜セクション２４がローラ１２の一方に沿って移動する際に発生する騒音あるいは挽き音が低下され得、それにより、切断縁部１４が工作物に付加する切断力が相当分増大され得る。中間サブセクション３２は、上向き傾斜セクション２４がローラ１２の１つに係合し且つこのローラに沿って移動する際における帯ノコ刃１０の高さ増大（及び、切断縁部１４が工作物に付加する切断力の相当分の増大）を中断させ得る効果がある。
【００４１】
帯ノコ刃１０のある実施態様は工作物を切断するために使用され得る。工作物を切断する方法には、（ｉ）ここに記載された帯ノコ刃１０を提供するステップ、（ｉｉ）離間されたローラ１２を含む帯ノコ装置を提供するステップ、（ｉｉｉ）帯ノコ装置を作動し、帯ノコ刃１０の後縁部１６を前記離間されたローラ１２と係合状態に維持しつつ、且つ、前記工作物を帯ノコ刃１０の切断縁部１４と選択的に係合させつつ、帯ノコ刃１０を切断方向２０に移動させるステップ、が含まれる。ある実施態様では、工作物は、切断中に加工硬化する傾向のある材料から形成され得る。工作物は例えばＩｎｃｏｎｅｌ（商標名）１８から形成され得る。
以上、本発明を実施例を参照して説明したが、本発明の内で種々の変更をなし得ることを理解されたい。
【符号の説明】
【００４２】
１０  帯ノコ刃
１２  ローラ
１４  切断縁部
１５  歯
１６  後縁部
１８  切断平面
２０  切断方向
２１  後縁部パターン
２２  傾斜セクション
２４  上向き傾斜セクション
２６  間隔セクション
２８  第１角度上向き傾斜サブセクション
３０  第２角度上向き傾斜サブセクション
３２  中間サブセクション
３２ａ  第１部分
３２ｂ  第２部分
【図１】
2016083767.tif 000003
【図２】
2016083767.tif 000004
【図３】
2016083767.tif 000005
【図４】
2016083767.tif 000006
【図５】
2016083767.tif 000007
【図６】
2016083767.tif 000008
【外国語明細書】
2016083767000001.pdf